(57)【特許請求の範囲】
【請求項１】
１枚のブランクにおいて、前面パネル１の左側に左側面パネル２および背面パネル３がこの順で連設され、前記前面パネル１の右側に右側面パネル４および広幅の背面下パネル５がこの順で連設され、該背面パネル３が他端の前記背面下パネル５の外面に接着されることで筒状に形成され、前記左側面パネル２には略矩形状の開口２ａが設けられており、前記背面下パネル５の端辺には前記開口２ａと同じ幅の回動板１４が前記開口２ａから露出する位置に連設されており、さらに前記回動板１４の両側には先端部１４ａを除いた部分から略四半円形状のガイド板１５、１６が折れ線を介して連設されている振り出し口Ｓを備えたカートンであって、前記ガイド板１５、１６の前記回動板１４に近い位置にリクローズ用係止突起１５ａ、１６ａが、終端の位置に抜け出し防止用係止突起１５ｂ、１６ｂが設けられ、一方、前記開口２ａの縁部には、前記回動板１４の前記先端部１４ａと対応する位置に、折線との間に１〜４ｍｍの範囲の幅を有する係止突起受け部Ｐが設けられ、該係止突起受け部Ｐの辺を両側に延長して切り込みｐ、ｐを入れ、前記振り出し口Ｓを閉じた時に、内容物が不用意に洩れ出すことのない係止機構を有していることを特徴とする振り出し口付きカートン。
【発明の詳細な説明】
【０００１】
【発明の属する技術分野】
本発明は、キャンデー、ガム、チョコレートなどの粒状の菓子類、その他粒状商品を収納してこれを小出しできる振り出し口付きカートンに関するものである。
【０００２】
【従来の技術】
従来のこの種の振り出し口付きカートンでは、例えば、直方体状カートンにおいて、狭幅の側面パネルの上部に振り出し用の開口を設け、また広幅パネルの上部には回動板１４を連設し、その回動板１４の上下部に係止突起１５ａ、１６ａを有する半円形状ガイド板１５、１６を設けて成り、回動板１４によって振り出し口Ｓを形成し、開口を開閉自在にしたもの（図８参照）などが知られている。
【０００３】
【発明が解決しようとする課題】
上述した従来の振り出し口付きカートンは、振り出し口にリクローズ性があり、しかも板紙からなる１枚のブランクで組み立てられるので加工性、経済性に優れているという利点があるものの、振り出し口に係止機構がないことから、不使用時に回動板が動いて内容物が洩れ出すという欠点があった。また、振り出し口をリクローズ不可能になるまで引き出し過ぎないようにガイド板に係止突起を設けているが、完全ではなく強い力を加えるとリクローズが不可能な状態まで引き出されてしまうという欠点があった。
【０００４】
本発明は、上記のような欠点に鑑みてなされたものであり、その目的とするところは、振り出し口にリクローズ性があって、リクローズした時に内容物が不用意に洩れ出すことがなく、リクローズが不可能な状態までに振り出し口が引き出される危険性のない振り出し口付きカートンを提供することにある。
【０００５】
【課題を解決するための手段】
上記の目的を達成するために、本発明の振り出し口付きカートンは、１枚のブランクにおいて、前面パネル１の左側に左側面パネル２および背面パネル３がこの順で連設され、前記前面パネル１の右側に右側面パネル４および広幅の背面下パネル５がこの順で連設され、該背面パネル３が他端の前記背面下パネル５の外面に接着されることで筒状に形成され、前記左側面パネル２には略矩形状の開口２ａが設けられており、前記背面下パネル５の端辺には前記開口２ａと同じ幅の回動板１４が前記開口２ａから露出する位置に連設されており、さらに前記回動板１４の両側には先端部１４ａを除いた部分から略四半円形状のガイド板１５、１６が折れ線を介して連設されている振り出し口Ｓを備えたカートンであって、前記ガイド板１５、１６の前記回動板１４に近い位置にリクローズ用係止突起１５ａ、１６ａが、終端の位置に抜け出し防止用係止突起１５ｂ、１６ｂが設けられ、一方、前記開口２ａの縁部には、前記回動板１４の前記先端部１４ａと対応する位置に、折線との間に１〜４ｍｍの範囲の幅を有する係止突起受け部Ｐが設けられ、該係止突起受け部Ｐの辺を両側に延長して切り込みｐ、ｐを入れ、前記振り出し口Ｓを閉じた時に、内容物が不用意に洩れ出すことのない係止機構を有していることを特徴とする振り出し口付きカートン。
【０００６】
上述の構成からなる本発明の振り出し口付きカートンによれば、回動板に連設したガイド板に抜け出し防止用係止突起とリクローズ用係止突起を設け、開口の縁部に係止突起受けを設けることにより、振り出し口にリクローズ性があり、振り出し口を引き出した時に、振り出し口が抜け出す危険性がなく、かつ、振り出し口を閉じた時に、内容物が不用意に洩れ出すことのない係止機構を有する振り出し口付きカートンを提供することができる。
【０００７】
【発明の実施の形態】
以下、本発明の実施例について図面を参照して説明する。
【０００８】
図１は本発明の第一の実施の形態の一実施例としての振り出し口付きカートンの斜視図であり、この振り出し口付きカートンＡは、回動板１４を引き出して振り出し口Ｓを形成し、開口２ａから内容物を取り出す形式のカートンであり、図２にその展開図を示す板紙製のブランクＡ１を組み立てて形成される。
【０００９】
図２に示すブランクＡ１において１は広幅の前面パネルで、その左側に縦折れ線ａ、ｂを介して狭幅の左側面パネル２および背面パネル３がこの順で連設され、その右側に縦折れ線ｃ、ｄを介して狭幅の右側面パネル４および広幅の背面下パネル５がこの順で連設されており、前面パネル１の上下にはそれぞれ横折れ線ｅ、ｆを介して天面パネル６および底面パネル７が連設され、背面パネル３の上下にはそれぞれ横折れ線ｇ、ｈを介して天面下パネル８および底面下パネル９が連設されている。そして、左側面パネル２の上下にはそれぞれ横折れ線ｉ、ｊを介して折り込み片１０、１１が、右側面パネル４の上下にはそれぞれ横折れ線ｋ、ｌを介して折り込み片１２、１３が連設されている。
【００１０】
また、左側面パネル２の上方部には略矩形状の開口２ａが設けられており、背面下パネル５の右端縁にはこの開口２ａと同じ上下幅で左側面パネル２の幅と同じ幅の回動板１４が縦折れ線ｍを介して開口２ａに対応する位置に連設されており、さらにこの回動板１４の上下両辺には回動板１４の先端部１４ａ（斜線部分）を除いた部部に略四半円形状のガイド板１５、１６がそれぞれ横折れ線ｎ、ｏを介して連設されている。
【００１１】
さらにまた、このガイド板１５、１６の略四半円形状の回動板１４に近い位置にリクローズ用係止突起１５ａ、１６ａを、終端の位置に抜け出し防止用係止突起１５ｂ、１６ｂが設けられている。
【００１２】
一方、開口２ａ（ＡＢＣＤ）は、左側面パネル２と背面パネル３との折れ線ｂの上部の一部である辺ＡＢ、左側面パネル２の面上に左側面パネル２と前面パネル１との折れ線ａに平行な辺ＡＢに対向する辺ＣＤ、辺ＡＢと辺ＣＤを結ぶ辺ＢＣ、辺ＤＡの四辺からなる略矩形状であり、辺ＣＤと折れ線ａの間の部分が係止突起受け部Ｐとなっている。この係止突起受け部Ｐの幅は、１〜４ｍｍの範囲とすることが好ましい。この係止突起受け部Ｐにより、振り出し口Ｓを開いた時、ガイド板１５、１６の抜け出し防止用係止突起１５ｂ、１６ｂが係止され、振り出し口Ｓがカートンから抜け出すことを防止することができる。また、振り出し口Ｓを閉じた時、ガイド板１５、１６のリクローズ用係止突起１５ａ、１６ａが係止され、振り出し口Ｓをリクローズすることができる。
【００１３】
また、辺ＣＤでは、上下方向に辺Ｄを延長して切り込みｐ、ｐを入れることが好ましい。この切り込みｐ、ｐを入れることにより、振り出し口Ｓの開閉をよりスムースに行うことができる。
【００１４】
図２のブランクＡ１を組み立てるに際しては、まず、各パネルを縦折れ線ｄ、ａの順に折り曲げ、図３にその裏側を示すように、開口２ａの部分に回動板１４を露出させ、回動板１４の先端部１４ａを係止突起受け部Ｐの上側に重ねた状態で背面パネル３を背面下パネル５の外面に接着してサック貼りし、この状態で製函業者より内容物充填業者へ納品する。内容物充填業者は、このように扁平に折り畳まれた状態で納品されたものを縦折れ線ａ〜ｄで角筒状に起こし、上方の折り込み片１０、１２を横折れ線ｉ、ｋで内側に折り込んだ後、天面下パネル８および天面パネル６を横折れ線ｇ、ｅで折り曲げて互いに接着することで上部を閉鎖する。ついで、内容物を充填してから、下方の折り込み片１１、１３を横折れ線ｊ、ｌで内側に折り込んだ後、底面下パネル９および底面パネル７を横折れ線ｈ、ｆで折り曲げて互いに接着することで下部を閉鎖して図１に示す振り出し口付きカートンＡの組み立てが完了する。なお、上部と下部を閉鎖する順序は逆でもよい。
【００１５】
図１−ａの振り出し口付きカートンＡから内容物を振り出すに際しては、係止突起受け部Ｐの上側にある回動板１４の先端部１４ａを取っ掛かりとして指先で側方の後に引き起こすと、図１−ｂに示すように、回動板１４の両側のガイド板１５、１６が開口２ａの上下両縁部に沿って引き出されて立ち上がることで振り出し口Ｓが形成され、開口２ａから内容物を振り出すことができる。なお、この際、図４−ａ、ａ′に示すように、ガイド板１５、１６はその抜け出し防止用係止突起１５ｂ、１６ａが係止突起受け部Ｐの裏側に当接するので、振り出し口Ｓがカートンから外れることがない。
【００１６】
さらに、内容物を振り出した後、回動板１４で開口２ａを閉じるが、その時に、図４−ｂ、ｂ′、ｃ、ｃ′に示すように、ガイド板１５、１６に設けたリクローズ用係止突起１５ａ、１６ａが開口２ａの縁部の係止突起受け部Ｐによって係止されリクローズすることができる。この振り出し口Ｓを閉じる時に、リクローズ用係止突起１５ａ、１６ａが係止突起受け部Ｐを弾くことによって「パチ」と音を立てることから、聴覚的にもリクローズされたことを確認することができる。この状態では、ガイド板１５、１６が係止されているため、内容物が洩れ出すことはない。
【００１７】
図５は本発明の第二の実施の形態の一実施例としての振り出し口付きカートンの斜視図であり、この振り出し口付きカートンＢは図６にその展開図を示す板紙製のブランクＢ１を組み立てて形成される。
【００１８】
図６に示すブランクＢ１において２１は広幅の前面パネルで、その下側に横折れ線ａ、ｂを介して狭幅の天面パネル２２および接着パネル２３（本実施例の場合、背面パネルの幅が狭いため背面パネルを接着パネルと称している。）がこの順で連設され、その上側に横折れ線ｃ、ｄを介して狭幅の底面パネル２４および広幅の背面下パネル２５がこの順で連設されており、前面パネル２１の左右にはそれぞれ縦折れ線ｅ、ｆを介して右側面パネル２６および左側面パネル２７が連設され、背面下パネル２５の左右にはそれぞれ縦折れ線ｇ、ｈを介して右側面下パネル２８および左側面下パネル２９が連設されている。そして、また、天面パネル２２の左右にはそれぞれ縦折れ線ｉ、ｊを介して折り込み片３０、３１が、底面パネル２４の左右にはそれぞれ縦折れ線ｋ、ｌを介して折り込み片３２、３３が連設されている。
【００１９】
また、天面パネル２２の中央部には略矩形状の開口２２ａが設けられており、背面下パネル２５の上端縁にはこの開口２２ａと同じ左右幅で天面パネル２２の幅と同じ幅の回動板３４が縦折れ線ｍを介して開口２２ａに対応する位置に連設されており、さらにこの回動板３４の左右両辺には回動板３４の先端部３４ａを除いた部部に略四半円形状のガイド板３５、３６がそれぞれ横折れ線ｎ、ｏを介して連設されている。
【００２０】
さらに、第一の実施の形態と同様に、ガイド板３５、３６の略四半円形状の回動板３４に近い位置にリクローズ用係止突起３５ａ、３６ａを、終端の位置に抜け出し防止用係止突起３５ｂ、３６ｂを設けられている。
【００２１】
一方、開口３２ａ（ＡＢＣＤ）は、天面パネル２２と接着パネル２３との折れ線ｂの中央部の一部である辺ＡＢ、天面パネル２２の面上に天面パネル２２と前面パネル２１との折れ線ａに平行な辺ＡＢに対向する辺ＣＤ、辺ＡＢと辺ＣＤを結ぶ辺ＢＣ、辺ＤＡの四辺からなる略矩形状であり、辺ＣＤと折れ線ａの間の部分が係止突起受け部Ｐとなっている。この係止突起受け部Ｐにより、振り出し口Ｓを開いた時、ガイド板３５、３６の抜け出し防止用係止突起３５ｂ、３６ｂが係止され、振り出し口Ｓがカートンから抜け出すことを防止することができる。また、振り出し口Ｓを閉じた時、ガイド板３５、３６のリクローズ用係止突起３５ａ、３６ａが係止され、振り出し口Ｓをリクローズすることができる。
【００２２】
図６のブランクＢ１を組み立てるに際しては、まず、各パネルを横折れ線ｄ、ａの順に折り曲げ、図７にその裏側を示すように、開口２２ａの部分に回動板３４を露出させ、回動板３４の先端部３４ａを係止突起受け部Ｐの上側に重ねた状態で接着パネル２３を背面下パネル２５の外面に接着してサック貼りし、この状態で製函業者より内容物充填業者へ納品する。内容物充填業者は、このように扁平に折り畳まれた状態で納品されたものを横折れ線ａ〜ｄで角筒状に起こし、左側（図７）の折り込み片３０、３２を縦折れ線ｉ、ｋで内側に折り込んだ後、右側面下パネル２８および右側面パネル２６を縦折れ線ｇ、ｅで折り曲げて互いに接着することで右側を閉鎖する。ついで、内容物を充填してから、右側（図７）の折り込み片３１、３３を縦折れ線ｊ、ｌで内側に折り込んだ後、左側面下パネル２９および左側面パネル２７を縦折れ線ｈ、ｆで折り曲げて互いに接着することで左側を閉鎖して図５に示す振り出し口付きカートンＢの組み立てが完了する。なお、右側と左側を閉鎖する順序は逆でもよい。
【００２３】
図５−ａの振り出し口付きカートンＢから内容物を振り出すに際しては、回動板３４をその先端部３４ａを取っ掛かりとして指先で上方の後に引き起こすと、図５−ｂに示すように、回動板３４の両サイドのガイド板３５、３６が開口２２ａの左右両縁部に沿って引き出されて立ち上がることで振り出し口Ｓが形成され、この振り出し口Ｓから内容物を振り出すことができる。なお、この際、ガイド板３５、３６はその抜け出し防止用係止突起３５ｂ、３６ｂが前面パネル２１の裏側に当接するので、回動板３４を無理に引き起こさない限りカートンから外れることがない。
【００２４】
さらに、内容物を振り出した後、回動板３４で開口２２ａを閉じるが、その時に、ガイド板３５、３６に設けたリクローズ用係止突起３５ａ、３６ａが開口２２ａの縁部の係止突起受け部Ｐによって係止されリクローズすることができる。この振り出し口Ｓを閉じる時に、「パチ」と音を立てることから、聴覚的にもリクローズされたことを確認することができる。この状態では、ガイド板３５、３６が係止されているため、内容物が洩れ出すことはない。
【００２５】
以上、本発明を２つの実施例に基づいて説明したが、本発明は上述の各実施例に限定されるものではなく、特許請求の範囲に記載の事項の範囲内で種々にその細部の構成を変更して実施可能なものである。
【００２６】
例えば、胴部が正六角形である公知の形状をしたカートンに振り出し口を形成するようにすることもできる。また、このように胴部が正六角形をしたカートンのほかにも、胴部の形状が六角形、正八角形、八角形などをしたカートンの側面に振り出し口を形成することも可能である。
【００２７】
【発明の効果】
以上説明したように、本発明の振り出し口付きカートンは、回動板に連設したガイド板に抜け出し防止用係止突起とリクローズ用係止突起を設け、開口の縁部を係止突起受け部とすることにより、振り出し口にリクローズ性があり、振り出し口を振り出す時に、振り出し口が抜け出す危険性がなく、かつ、振り出し口を閉じた時に、内容物が不用意に洩れ出すことのない係止機構を有するという効果を奏する。
【図面の簡単な説明】
【図１】本発明である振り出し口付きカートンの第一の実施の形態の一実施例を示す斜視図である。
【図２】図１の振り出し口付きカートンを形成するブランクの展開図である。
【図３】図２のブランクをサック貼りした状態を示す裏面図である。
【図４】図１の振り出し口付きカートンで振り出し口のリクローズを説明する部分図である。
【図５】本発明である振り出し口付きカートンの第二の実施の形態の一実施例を示す斜視図である。
【図６】図５の振り出し口付きカートンを形成するブランクの展開図である。
【図７】図６のブランクをサック貼りした状態を示す裏面図である。
【図８】従来の振り出し口付きカートンを示す斜視図である。
【符号の説明】
Ａ    振り出し口付きカートン
Ｂ    振り出し口付きカートン
Ａ１  ブランク
Ｂ１  ブランク
１    前面パネル
２    左側面パネル
２ａ  開口
３    背面下パネル
４    右側面パネル
５    背面パネル
６    天面パネル
７    底面パネル
８    天面下パネル
９    底面下パネル
１０    折り込み片
１１    折り込み片
１２    折り込み片
１３    折り込み片
１４    回動板
１４ａ  先端部
１５    ガイド板
１５ａ  リクローズ用係止突起
１５ｂ  抜け出し防止用係止突起
１６    ガイド板
１６ａ  リクローズ用係止突起
１６ｂ  抜け出し防止用係止突起
２１    前面パネル
２２    天面パネル
２２ａ  開口
２３    接着パネル（背面パネル）
２４    底面パネル
２５    背下面パネル
２６    右側面パネル
２７    左側面パネル
２８    右側面下パネル
２９    左側面下パネル
３０    折り込み片
３１    折り込み片
３２    折り込み片
３３    折り込み片
３４    回動板
３５    ガイド板
３５ａ  リクローズ用係止突起
３５ｂ  抜け出し防止用係止突起
３６    ガイド板
３６ａ  リクローズ用係止突起
３６ｂ  抜け出し防止用係止突起
ａ〜ｏ  縦折れ線、横折れ線
Ｓ    振り出し口
ｐ    切り込み
Ｐ    係止突起受け部
【図１】
0004270783.tif 000002
【図２】
0004270783.tif 000003
【図３】
0004270783.tif 000004
【図４】
0004270783.tif 000005
【図５】
0004270783.tif 000006
【図６】
0004270783.tif 000007
【図７】
0004270783.tif 000008
【図８】
0004270783.tif 000009